(57)【要約】【課題】  携帯でき、光線の明るさを測定でき、正しい姿勢及び距離を閲読者に気付かせることができる携帯式近視防止器を提供する。【解決手段】  携帯可能な本体１を有し、本体１の内部には光線の明るさを測定可能な光センサーと、伸縮して調整可能な距離保持器３とが設けてある。光センサーは閲読環境の明るさが充分であるかを測定する。距離保持器は閲読者と閲読しようとする本との間の距離を測定する。【選択図】    図１
0003102455.tif 000002
【実用新案登録請求の範囲】
【請求項１】
携帯可能な本体を有し、前記本体の内部には光線の明るさを測定可能な光センサーと、伸縮して調整可能な距離保持器とが設けてあり、前記光センサーは閲読環境の明るさが充分であるかを測定し、前記距離保持器は閲読者と閲読しようとする本との間の距離を測定することを特徴とする携帯式近視防止器。
【請求項２】
前記光センサーは、感光性部品を主要な部品とする電子部品組を含み、光線の明るさを測定し、警告を出す明るさ限界値を設定可能であり、さらに、前記電子部品組を開閉するためのスイッチと、複数の警告ランプとを含み、前記警告ランプは光線の明るさによって異なる顔色の警告ランプが点燈し、光線の明るさが充分であるかを判断可能であり、且つ前記警告ランプの電源は電池で供給することを特徴とする請求項１に記載の携帯式近視防止器。
【請求項３】
前記本体は、携帯可能なペンであり、前記ペンには前記光センサーが設けてあり、前記距離保持器は複数のロッドから構成されて伸縮可能な伸縮ロッドであり、前記伸縮ロッドは前記ペンの先端の反対側に設けてあることを特徴とする請求項１に記載の携帯式近視防止器。
【請求項４】
前記伸縮ロッドを引き出した後の長さは、前記ペンの長さと合わせて４０センチ〜５０センチであることを特徴とする請求項３に記載の携帯式近視防止器。
【請求項５】
前記本体は、定規であり、前記光センサーは前記定規の適当な箇所に設けられ、前記距離保持器は前記定規内で移動可能な伸縮定規であり、前記定規には前記定規の軸方向に沿って開けた長形溝が設けてあり、前記伸縮定規が前記長形溝内に設けられ、且つ前記長形溝は開口に近接する箇所にストップ部が設けてあり、前記伸縮定規の末端には前記ストップ部を止めるためのストッパーが設けてあることを特徴とする請求項１に記載の携帯式近視防止器。
【請求項６】
前記伸縮定規を引き出した後の長さは、前記定規の長さと合わせて４０センチ〜５０センチであることを特徴とする請求項５に記載の携帯式近視防止器。
【請求項７】
前記本体は、鉛筆ケースであり、前記光センサーは前記鉛筆ケースの適当な箇所に設けられ、前記距離保持器は複数のロッドから構成されて伸縮可能な伸縮ロッドであり、前記伸縮ロッドは前記鉛筆ケースの一側辺に枢設して連接されることを特徴とする請求項１に記載の携帯式近視防止器。
【請求項８】
前記伸縮ロッドを引き出した後の長さは、４０センチ〜５０センチであることを特徴とする請求項７に記載の携帯式近視防止器。
【考案の詳細な説明】
【技術分野】
【０００１】
本考案は、携帯式近視防止器に係り、特に、携帯でき、且つ光線の明るさ及び距離を測定できる携帯式近視防止器に関する。
【背景技術】
【０００２】
近視になる原因は、主に、閲読環境における光線の明るさと、閲読するときの姿勢及び距離と、閲読の回数と、子供の飲食習慣と、母親が妊娠するときの栄養及び心理素因などであり、そのなかの閲読環境における光線の明るさと、閲読するときの姿勢及び距離と、閲読の回数とは、コントロールできるものであり、閲読するときに、光線の明るさを充分にし、適当な姿勢及び距離を保持すれば、近視を防止することが可能であるので、ある業者が環境における光線の明るさを測定できる近視防止器を開発する。この従来の近視防止器は、図１１に示すように、主に、テーブル表面６上に置くためのケース５を有し、前記ケース５の内部には光線の明るさを測定できる光抵抗器と、トランジスターと、電池とが設けてあり、光抵抗器によって環境における光線の明るさを測定し、光線の明るさが不足である場合には、使用者に光又は音で警告し、近視を防止する。
【０００３】
また、視力保護器が開発され、前記視力保護器は正しい閲読姿勢を閲読者に気付かせる。図１２に示すように、前記視力保護器は、主に、台座７を有し、前記台座７の後側には固定板７１が設けられ、前記台座７の前側には中空座体７２が設けられ、前記中空座体７２の一端には昇降装置８が設けられ、前記昇降装置８は距離保持定規用挿入座体８１と、前記距離保持定規用挿入座体８１に挿入される昇降板８２と、前記昇降板８２の上端に固定される距離保持定規８３とを含む。これにより、前記台座７の固定板７１をテーブル表面９の前縁の底面に固定することにより、前記台座７がテーブル表面９の前縁に固定され、また、前記昇降板８２の高さを調整すると、前記距離保持定規８３が閲読者の胸の位置を制限し、閲読者の目と本との間の距離を一定に保持することにより、閲読姿勢が原因で近視になることを防止する。
【考案の開示】
【考案が解決しようとする課題】
【０００４】
しかしながら、これは、次のような欠点があった。
（イ）従来の近視防止器は、光線の明るさだけを測定し、閲読距離を測定することができないので、閲読姿勢が不正確な場合には、近視になる可能性が高い。
【０００５】
（ロ）従来の視力保護器は、閲読者の正しい姿勢を保持するが、閲読環境における光線の明るさを測定できないので、近視になる可能性が高い。
（ハ）従来の視力保護器は、テーブルに固定されて携帯できないので、閲読場所を変更する場合には、別の場所へ移転して使用できない。
【課題を解決するための手段】
【０００６】
上記欠点を解決するためになされた本考案は、携帯できる本体を有し、前記本体の内部には光線の明るさを測定できる光センサーと、伸縮して調整できる距離保持器とが設けてあり、前記光センサーは閲読環境の明るさが充分であるかを測定し、なお、前記距離保持器は閲読者と閲読しようとする本との間の距離を測定することを特徴とする携帯式近視防止器であることを要旨としている。
【０００７】
本考案に係る携帯式近視防止器によれば、本体がペン又は定規などの文具であるため、携帯が極めて便利であり、且つ光センサー及び距離保持器を同時に有するので、閲読環境における光線の明るさが充分であるかを測定できると共に、正しい姿勢及び距離を閲読者に気付かせることができる。
【考案を実施するための最良の形態】
【０００８】
以下、添付図面を参照して、本考案の好適な実施の形態を詳細に説明する。
まず、図１から図４を参照する。図面に示す実施例は、本考案を説明するためのものであり、実用新案登録請求範囲を制限するためのものではない。
【０００９】
本考案の一実施例による携帯式近視防止器は、携帯できる本体１を有し、前記本体１の内部には光線の明るさを測定できる光センサー２と、伸縮して調整できる距離保持器３とが設けてあり、前記光センサー２は閲読環境の明るさが充分であるかを測定し、なお、前記距離保持器３は閲読者と閲読しようとする本との間の距離を測定する。
【００１０】
本実施例では、前記本体１は携帯できるペン１１であり、前記ペン１１の内部には前記光センサー２が設けてあり、前記光センサー２は、感光性部品を主要な部品とする電子部品組２３を含み、光線の明るさを測定し、警告を出す明るさ限界値を設定でき、本実施例では、前記光センサー２は更に前記電子部品組２３を開閉するためのスイッチ２１と、複数の警告ランプ２２とを含み、前記警告ランプ２２は光線の明るさによって異なる顔色の警告ランプ２２が点燈する。なお、感光性部品を主要な部品とする電子部品組２３を含む前記光センサー２は、感光性部品を有するテスト回路２３１と、増幅コンパレータ２３２と、高精度標準電源２３３と、ドライバー２３４と、各警告ランプ２２に接続する警告器２３５と、電源を供給するためのミニ電池２３６とを含み、感光性部品を有するテスト回路２３１は測定した光の明るさを電圧信号に転換し、なお、前記高精度標準電源２３３の電圧値が標準視力保護光線強度の明るさを代表し、前記電圧値は必要によって設定することができ、閲読に適合する光線の明るさは２００〜５００ｌｕｘ程度であるので、前記高精度標準電源２３３の電圧値は２００ｌｕｘに設定され、感光性部品を有するテスト回路２３１によって転換される電圧信号と、前記高精度標準電源２３３で設定する電圧信号とを同時に前記増幅コンパレータ２３２に入力し、測定した光線の明るさが設定の２００ｌｕｘより弱い場合には、前記増幅コンパレータ２３２は起動信号を前記ドライバー２３４に出力し、前記ドライバー２３４が前記警告器２３５の警告ランプ２２を駆動し、点燈される警告ランプ２２の顔色によって閲読環境における光線の明るさが充分であるかを判断することができる。なお、前記距離保持器３は、複数のロッドから構成されて伸縮できる伸縮ロッド３１であり、前記伸縮ロッド３１は前記ペン１１の先端の反対側に設けてあり、前記伸縮ロッド３１を引き出した後の長さは、前記ペン１１の長さと合わせて４０センチ〜５０センチ程度である。
【００１１】
実際の使用形態は、図４に示すように、ペン１１をテーブル表面上に置いて、前記光センサー２のスイッチ２１をオンにすることにより、閲読環境における光線の明るさが充分であるかを測定する。閲読環境における光線の明るさが２００ｌｕｘより弱い場合には、赤い警告ランプ２２が点燈し、閲読環境における光線の明るさを増加しようと閲読者に気付かせる。閲読環境における光線の明るさが２００ｌｕｘより強い場合には、緑色の警告ランプ２２が点燈し、安心して閲読できるよと閲読者に気付かせる。ここで、前記ペン１１の一端にある伸縮ロッド３１を閲読者の目まで引き出して、且つ前記ペン１１の先端を本に当接させ、本の表面と４５度〜６０度の角度θに成させ、前記ペン１１と伸縮ロッド３１との全長Ｈ及び本の表面と成す角度θにより、閲読者が正確な閲読姿勢を保持することができる。
【００１２】
本体１がペン１１であるため、携帯が極めて便利であり、且つ光センサー２及び距離保持器３を同時に有するので、閲読環境における光線の明るさが充分であるかを測定できると共に、正しい姿勢及び距離を閲読者に気付かせることができる。だから、近視を防止することができる。
【００１３】
本考案の実施例では、当該本体１がペン１１でもいいし、定規でもいい。図５及び図６に示すように、当該本体１は定規１２であり、光センサー２は前記定規１２の適当な箇所に設けられ、なお、距離保持器３は前記定規１２内で移動できる伸縮定規３２であり、前記定規１２には前記定規１２の軸方向に沿って開けた長形溝１２１が設けてあり、なお、前記伸縮定規３２が前記長形溝１２１内に設けられ、且つ前記長形溝１２１は開口に近接する箇所にストップ部１２２が設けてあり、なお、前記伸縮定規３２の末端には前記ストップ部１２２を止めるためのストッパー３２１が設けてあり、前記伸縮定規３２を引き出した後の長さは前記定規１２の長さと合わせて４０センチ〜５０センチ程度である。
【００１４】
実際の使用形態は、図７に示すように、定規１２をテーブル表面上に置いて、前記光センサー２のスイッチ２１をオンにすることにより、閲読環境における光線の明るさが充分であるかを測定する。また、前記定規１２の一端にある伸縮定規３２を閲読者の目まで引き出して、前記定規１２はその伸縮定規３２の反対端を本の表面に当接させ、且つ本の表面と４５度〜６０度の角度θに成させ、前記定規１２と伸縮定規３２との全長Ｈ及び本の表面と成す角度θにより、閲読者が正確な閲読姿勢を保持することができる。
【００１５】
また、図８と図９を参照する。図８と図９に示すのは本考案の他の実施例であり、当該本体１は鉛筆ケース１３であり、前記光センサー２は前記鉛筆ケース１３の適当な箇所に設けられ、なお、前記距離保持器３は複数のロッドから構成されて伸縮できる伸縮ロッド３３であり、前記伸縮ロッド３３が前記鉛筆ケース１３の一側辺に枢設して連接され、前記伸縮ロッド３３を引き出した後の長さは４０センチ〜５０センチ程度である。
【００１６】
実際の使用形態は、図１０に示すように、鉛筆ケース１３をテーブル表面上に置いて、前記光センサー２のスイッチ２１をオンにすることにより、閲読環境における光線の明るさが充分であるかを測定する。また、前記鉛筆ケース１３の一端にある伸縮ロッド３３を閲読者の目まで引き出して、前記伸縮ロッド３３を本の表面と４５度〜６０度の角度θに成させ、前記伸縮ロッド３３の全長Ｈ及び本の表面と成す角度θにより、閲読者は正確な閲読姿勢を保持することができる。
【図面の簡単な説明】
【００１７】
【図１】本考案の一実施例による携帯式近視防止器を示す斜視図である。
【図２】本考案の一実施例による携帯式近視防止器の光センサーの回路を示すブロック図である。
【図３】本考案の一実施例による携帯式近視防止器の伸縮ロッドを引き出した状態を示す斜視図である。
【図４】本考案の一実施例による携帯式近視防止器の使用形態を示す概略図である。
【図５】本考案の他の実施例による携帯式近視防止器を示す斜視図である。
【図６】本考案の他の実施例による携帯式近視防止器を示す断面図である。
【図７】本考案の他の実施例による携帯式近視防止器の使用形態を示す概略図である。
【図８】本考案の他の実施例による携帯式近視防止器を示す斜視図である。
【図９】本考案の他の実施例による携帯式近視防止器の伸縮ロッドを引き出した状態を示す斜視図である。
【図１０】本考案の他の実施例による携帯式近視防止器の使用形態を示す概略図である。
【図１１】従来の近視防止機の使用形態を示す概略図である。
【図１２】従来の近視防止機の使用形態を示す斜視図である。
【符号の説明】
【００１８】
１  本体、３  距離保持器、１１  ペン、１２  定規、２１  スイッチ、２２  警告ランプ、２３  電子部品組、３１  伸縮ロッド、３２  伸縮定規、３３  伸縮ロッド、１２１  長形溝、１２２  光センサー、２３１  テスト回路、２３２  増幅コンパレータ、２３３  高精度標準電源、２３４  ドライバー、２３５  警告器、２３６  ミニ電池、３２１  ストッパー
【図１】
0003102455.tif 000003
【図２】
0003102455.tif 000004
【図３】
0003102455.tif 000005
【図４】
0003102455.tif 000006
【図５】
0003102455.tif 000007
【図６】
0003102455.tif 000008
【図７】
0003102455.tif 000009
【図８】
0003102455.tif 000010
【図９】
0003102455.tif 000011
【図１０】
0003102455.tif 000012
【図１１】
0003102455.tif 000013
【図１２】
0003102455.tif 000014